(57)【特許請求の範囲】
【請求項１】
建設機械において、
走行可能な下部走行体と、
前記下部走行体の上部に搭載され、作業装置が備えられた上部旋回体と、
前記下部走行体に固定されているスイングリングギアと、
前記上部旋回体に固定され、前記スイングリングギアに組み合わされて回転運動をするスイングリングギアカバーと、
前記スイングリングギアとスイングリングギアカバーの何れか一方に設けられる永久磁石と、
前記スイングリングギアとスイングリングギアカバーの何れか他方に設けられる誘導コイルと、
前記上部旋回体に固定され、油圧ポンプから供給された作動油の流入と流出を利用して回転可能な油圧スイングモータと、
前記油圧スイングモータにより回転するピニオンギアとを含み、
前記ピニオンギアが前記スイングリングギアと噛み合って回動することによって前記上部旋回体が回転し、
前記スイングリングギアカバーの回転運動に応じて前記誘導コイルから誘導電流が発生し、該建設機械は更に、
前記油圧スイングモータ内の油圧を感知し、電気信号を出力する圧力センサーと、
前記上部旋回体をスイング動作状態やスイング停止状態に操作する操作レバーと、
前記圧力センサー及び操作レバーの信号を受け、前記油圧スイングモータが減速状態にあると判断した場合、前記誘導コイルから誘導電流を発生させるようにする制御部と、
前記制御部と誘導コイルとの間に形成され、誘導電流の発生を希望する場合は短絡され、誘導電流の発生を希望しない場合は開放される、制御スイッチとを含む
ことを特徴とする、発電機能を備えた建設機械。
【請求項２】
前記誘導コイルは、前記永久磁石が設けられたスイングリングギアまたはスイングリングギアカバーに向かって放射状に多数個備えられた磁性体突起に巻き付けられて形成されることを特徴とする、請求項１に記載の発電機能を備えた建設機械。
【請求項３】
前記誘導コイルから発生した誘導電流を集電して電気エネルギーとして貯蔵するエネルギー貯蔵装置をさらに含んでなる、請求項1又は２に記載の発電機能を備えた建設機械。
【請求項４】
前記エネルギー貯蔵装置と制御部との間に形成され、誘導電流の貯蔵を希望する場合に短絡され、誘導電流の貯蔵を希望しない場合は開放される選択スイッチをさらに含んでなる、請求項３に記載の発電機能を備えた建設機械。
【発明の詳細な説明】
【技術分野】
【０００１】
本発明は、建設機械に関するものであり、さらに詳細には、上部旋回体の回転運動を利用して誘導電流を発生させる、発電機能を備えた建設機械に関するものである。  
【背景技術】
【０００２】
一般の建設機械は、下部走行体と上部旋回体を含み、下部走行体の上に上部旋回体が旋回可能に装着されている。上部旋回体には作業装置が取り付けられている。
【０００３】
下部走行体と上部旋回体を旋回可能に連結するための旋回装置は、油圧スイングシステムにより具現化される。
【０００４】
図１に示したように従来の油圧スイングシステムは、油圧ポンプから供給される油量により回転運動をすることになる。しかし、従来の油圧スイングシステムは、単なる回転運動だけを行えるものであって、回転運動エネルギーを電気エネルギーに変換する装置は持っていなかった。これにより、停止時に発生する多くの運動エネルギーは、熱及び摩擦で無駄になる問題があった。
【発明の概要】
【発明が解決しようとする課題】
【０００５】
本発明は前述した問題を解決するために案出されたもので、上部旋回体の回転運動を用いて誘導コイルから誘導電流が発生するようにしてエネルギーの効率性を向上させることにその目的がある。
【課題を解決するための手段】
【０００６】
本発明による建設機械は、走行可能な下部走行体と、下部走行体の上部に搭載され、作業装置が備えられた上部旋回体と、下部走行体に取り付けられているスイングリングギアと、上部旋回体に固定され、スイングリングギアに組み合わされて回転運動をするスイングリングギアカバーと、スイングリングギアとスイングリングギアカバーの何れか一方に設けられる永久磁石と、スイングリングギアとスイングリングギアカバーの何れか他方に設けられる誘導コイルと、前記上部旋回体に固定され、油圧ポンプから供給された作動油の流入と流出を利用して回転可能な油圧スイングモータと、前記油圧スイングモータにより回転するピニオンギアとを含み、前記ピニオンギアが前記スイングリングギアと噛み合って回動することによって前記上部旋回体が回転し、前記スイングリングギアカバーの回転運動に応じて前記誘導コイルから誘導電流が発生し、該建設機械は更に、前記油圧スイングモータ内の油圧を感知し、電気信号を出力する圧力センサーと、前記上部旋回体をスイング動作状態やスイング停止状態に操作する操作レバーと、前記圧力センサー及び操作レバーの信号を受け、前記油圧スイングモータが減速状態にあると判断した場合、前記誘導コイルから誘導電流を発生させるようにする制御部と、前記制御部と誘導コイルとの間に形成され、誘導電流の発生を希望する場合は短絡され、誘導電流の発生を希望しない場合は開放される、制御スイッチとを含むことを特徴とする
【発明の効果】
【０００７】
前記した本発明によれば、第一に、上部旋回体の回転運動エネルギーを電気エネルギーに変換することができる。第二に、変換された電気エネルギーを別途のエネルギー貯蔵装置に貯蔵することが可能なので、効率よくエネルギーを利用することができる。最後に、制御部を通じて誘導電流の発生を制御できるので、無駄になる回転運動エネルギーのみを電気エネルギーに変換することができる。
【図面の簡単な説明】
【０００８】
【図１】従来の建設機械に対する斜視図である。
【図２】本発明の一実施例による建設機械に対するブロック図である。
【図３】図２に示した建設機械の誘導コイルに対する断面図である。
【発明を実施するための形態】
【０００９】
以下、本発明の一実施例について添付図面を参照として説明する。この過程で、図に示す線の太さや構成要素のサイズなどは、説明の明瞭性と便宜性のため、誇張して図示することも可能である。
【００１０】
また、後述する用語などは、本発明における機能を考慮したうえで定義した用語として、これらは使用者や運用者の意図または慣例によって異なる。したがって、このような用語に対する定義は、本明細書全体の内容を基に下されるべきである。
【００１１】
さらに、下記の実施例は、本発明の権利範囲を限定するものではなく、本発明の請求範囲に提示された構成要素の例示的な事項に過ぎず、本発明の明細書全般に亘った技術思想に含まれ、請求範囲の構成要素において均等物として交換可能な構成要素を含む実施例は、本発明の権利範囲に含まれる。
【００１２】
図１は、従来の建設機械に対する斜視図であり、図２は、本発明の一実施例による建設機械に対するブロック図であり、図３は、図２に示した建設機械の誘導コイルに対する断面図である。
【００１３】
本発明の望ましい実施例による、発電機能が備えられた建設機械は、走行可能な下部走行体と、前記下部走行体の上部に搭載され、作業装置が備えられた上部旋回体と、前記下部走行体に取り付けられているスイングリングギア１０と、前記上部旋回体に固定され、前記スイングリング１０と組み合わされて回転運動をするスイングリングギアカバー２０と、前記スイングリングギア１０とスイングリングギアカバー２０の何れか一方に設けられる永久磁石１１と、スイングリングギア１０とスイングリングギアカバー２０の何れか他方に設けられる誘導コイル２１を含んでなり、前記スイングリングギアカバー２０の回転運動によって誘導コイル２１から誘導電流が発生する。
【００１４】
建設機械は、下部走行体と、前記下部走行体の上に搭載され、駆動手段の駆動時に左側または右側の方向に旋回する上部旋回体を含む。下部走行体に対する上部旋回体の回転運動は油圧スイングシステムにより具現化される。
【００１５】
図１に示すように、本発明のスイングシステムも、従来のスイングシステムと同じくスイングリングギア１０とスイングリングギアカバー２０を含んでなる。
【００１６】
スイングリングギアカバー２０は、上部旋回体に取り付けられているので、スイングリングギアカバー２０が回転すると、上部旋回体も共に回転することになる。その反面、スイングリングギア１０は、下部走行体に固定されていて、スイング動作時に回転しない。
【００１７】
前記スイングリングギア１０とスイングリングギアカバー２０の何れか一方に永久磁石１１が設けられ、何れか他方に誘導コイル２１が設けられている。図２に示すように、スイングリングギア１０に永久磁石１１が形成され、スイングリングギアカバー２０に誘導コイル２１が形成されていてもよい。もちろん、スイングリングギア１０に誘導コイル２１が、スイングリングギアカバー２０に永久磁石１１が形成されていてもよい。
【００１８】
図２に示すように、スイングリングギアカバー２０に収容されている誘導コイル２１が回転運動をすれば、ファラデーの法則に準じて誘導コイル２１に誘導電流が発生することになる。
【００１９】
本発明の望ましい実施例による発電機能を備えた建設機械において、前記誘導コイル２１は、永久磁石１１の設けられたスイングリングギア１０又はスイングリングギアカバー２０に向かって放射状に多数個備えられた磁性体突起２２に巻き付けられて形成される。
【００２０】
図３に示すように、スイングリングギアカバー２０に多数個の磁性体突起２２があるが、永久磁石１１の設けられたスイングリングギア１０の方向に放射状に形成されている。もちろん、スイングリングギアカバー２０に永久磁石１１が、スイングリングギア１０に誘導コイル２１が形成された場合は、外側方向に向かって放射状に磁性体突起２２が形成されることも可能である。
【００２１】
図３に示すように、スイングリングギアカバー２０に形成された多数個の磁性体突起２２に誘導コイル２１が巻き付けられる。この誘導コイル２１が回転運動をすれば、誘導コイル２１に誘導電流が発生し、誘導電流は、ファラデーの法則に基づいてコイルの巻付け回数及びコイルが巻き付けられた磁性体の断面積に比例し、下記のように関係式を式（１）に示す。
【００２２】
【数１】
0005840358.tif 000002
上記式で、Ｎは、誘導コイル２１の巻付け回数、Ａは誘導コイル２１が巻き付けられた磁性体突起２２の断面積である。よって、発電量は、誘導コイル２１の巻付け回数及び磁性体突起２２の断面積を適宜に調節することによって変化可能である。
【００２３】
図３に示すように、誘導コイル２１をスター結線（Ｓｔａｒ  ｃｏｎｎｅｃｔｉｏｎ）の方式で連結することが可能である。つまり、各コイルの一端を中心点に接続し、他端中から三本を引き出したものから電圧を利用するといった結線方式であって、線間の電圧は、各相電圧の二倍になる。スター結線は、線間電圧が高いため、低速回転の時に高い電圧が発生する長所がある。
【００２４】
本発明の望ましい実施例による、発電機能を備えた建設機械において、上部旋回体に取り付けられ、油圧ポンプから供給された作動油の流入と流出を用いて回転できる油圧スイングモータ３０、及び前記油圧スイングモータ３０により回転されるピニオンギア３１をさらに含んでなり、前記ピニオンギア３１が前記スイングギア１０と噛み合って回動することによって、前記上部旋回体が回転される。
【００２５】
図１に示すように、油圧スイングモータ３０が回転すると、油圧スイングモータ３０の下側のピニオンギア３１が共に回転を行う。油圧スイングモータ３０は、油圧ポンプから供給された作動油により回転することになる。
【００２６】
前記油圧スイングモータ３０は、上部旋回体に固定した状態で前記ピニオン３１を回転させる。ピニオンギア３１は、スイングリングギア１０と噛み合って回動することによって、上部旋回体が回転する。つまり、ピニオンギア３１が時計方向に回転すると、ピニオンギア３１とスイングリングギア１０が噛み合い、スイングリングギアカバー２０を回転させ、これにより前記スイングリングギアカバー２０に固定されている上部旋回体が回転することになる。
【００２７】
本発明の望ましい実施例による、発電機能を備えた建設機械において、前記スイングモータ３０内の油圧を感知し、電気信号を出力する圧力センサー７０と、前記上部旋回体をスイング動作状態やスイング停止状態に操作する操作レバー５０と、前記圧力センサー７０及び操作レバー５０の信号を受けて、前記スイングモータ３０が減速状態であると判断した場合、前記誘導コイル２１から誘導電流を発生させるようにする制御部４０と、前記制御部４０と誘導コイル２１との間に形成され、誘導電流の発生を希望する場合は短絡され、誘導電流の発生を希望しない場合は開放されるようになっている制御スイッチ４１とをさらに含んでなる。
【００２８】
図２に示すように、本発明は、圧力センサー７０、操作レバー５０、制御部４０、制御スイッチ４１を含んでなる。
【００２９】
圧力センサー７０は、スイングモータ３０内の油圧を感知するセンサーであり、操作レバー５０は、スイングシステムを操作するものである。
【００３０】
制御部４０は、圧力センサー７０と操作レバー５０の出力信号を通じてスイングモータ３０が加速状態であるか、減速状態であるかを判断し、スイングモータ３０が減速状態である場合だけ、誘導コイル２１から誘導電流を発生させるようにする。制御部４０がない場合は、スイングモータ３０が加速状態でも誘導コイル２１から誘導電流を発生できるため、スイングシステムが無理な作動をすることになる。
【００３１】
制御スイッチ４１は、前記制御部４０と誘導コイル２１との間に形成され、誘導電流の発生を希望する場合は短絡され、誘導電流の発生を希望しない場合は開放されるので、使用者が、制御スイッチ４１を通じて誘導電流の発生を希望する場合だけ、電気エネルギーが発生するように構成することができる。
【００３２】
本発明の望ましい実施例による、発電機能を備えた建設機械において、前記誘導コイル２１から発生した誘導電流を集電し、電気エネルギーとして貯蔵するエネルギー貯蔵装置６０をさらに含んでなる。
【００３３】
図２に示すように、本発明は、エネルギー貯蔵装置６０を含んでなる。エネルギー貯蔵装置６０としては蓄電池を用いるが、蓄電池の種類としては、乾電池、バッテリー、水素電池などが挙げられる。
【００３４】
本発明の望ましい実施例による、発電機能を備えた建設機械において、前記エネルギー貯蔵装置６０と制御部４０との間に形成され、誘導電流の貯蔵を希望する場合に短絡され、誘導電流の貯蔵を希望しない場合は開放される選択スイッチ４２をさらに含んでなる。
【００３５】
図２に示すように、選択スイッチ４２は、前記制御部４０とエネルギー貯蔵装置６０との間に形成され、誘導電流の貯蔵を希望する場合に短絡され、誘導電流の貯蔵を希望しない場合に開放されるので、使用者が選択スイッチ４２を通じて誘導電流の貯蔵を希望する場合だけ電気エネルギーが貯蔵されるようにすることができる。
【符号の説明】
【００３６】
１０  スイングリングギア
１１  永久磁石
２０  スイングリングギアカバー
２１  誘導コイル
２２  磁性体突起
３０  スイングモータ
３１  ピニオンギア  
４０  制御部（ｐｏｗｅｒ  ｅｌｅｃｔｒｏｎｉｃ  ｃｏｎｔｒｏｌｌｅｒ）
４１  制御スイッチ
４２  選択スイッチ
５０  操作レバー
６０  エネルギー貯蔵装置
７０  圧力センサー
【図１】
0005840358.tif 000003
【図２】
0005840358.tif 000004
【図３】
0005840358.tif 000005